【手続補正書】
【提出日】平成27年4月24日(2015.4.24)
【手続補正１】
【補正対象書類名】特許請求の範囲
【補正対象項目名】全文
【補正方法】変更
【補正の内容】
【特許請求の範囲】
【請求項１】
媒体を搬送方向に搬送する搬送ユニットと、
第１ヘッドと、
前記第１ヘッドよりも前記搬送方向の下流側に設けられた第１光源と、
前記第１ヘッド及び前記第１光源よりも前記搬送方向の下流側に設けられた第２ヘッドと、
前記第２ヘッドよりも前記搬送方向の下流側に設けられ、前記第１光源の照射エネルギーよりも強い照射エネルギーで光を照射する第２光源と、
前記第２光源よりも前記搬送方向の下流側に設けられた第３ヘッドと、
前記第３ヘッドよりも前記搬送方向の下流側に設けられ、前記第１光源の照射エネルギーよりも強い照射エネルギーで光を照射する第３光源と、
を備え、
前記第１ヘッドは、マゼンタインク、シアンインク、ブラックインクのうちいずれか1色のインクを前記媒体に吐出し、
前記第２ヘッドは、イエローインクを前記媒体に吐出し、
前記第３ヘッドは、クリアインクを前記媒体に吐出する印刷装置。
【請求項２】
請求項１に記載の印刷装置であって、
印刷装置は、印刷装置用インクセットを備え、
前記印刷装置用インクセットは、前記マゼンタインク、前記シアンインク、前記イエローインク、前記ブラックインクを有し、
前記マゼンタインク、前記シアンインク、前記イエローインク、前記ブラックインクは、顔料と、重合性化合物と、光重合開始剤とを含有し、
前記重合性化合物は、アクリル酸２−（２−ビニロキシエトキシ）エチル、3-オキサ-5-ヘキセン-1-オール、フェノキシエチルアクリレート、４−ヒドロキシブチルアクリレート、トリシクロデカンジメチロールジアクリレート、ジペンタエリスリトールヘキサアクリレート、エトキシ化イソシアヌル酸トリアクリレートよりなる群から選択される１種または２種以上を含む
ことを特徴とする印刷装置。
【請求項３】
請求項１に記載の印刷装置であって、
前記イエローインクは、顔料と、重合性化合物と、光重合開始剤とを含有し、前記重合性化合物は、アクリル酸２−（２−ビニロキシエトキシ）エチル、3-オキサ-5-ヘキセン-1-オール、フェノキシエチルアクリレート、４−ヒドロキシブチルアクリレート、トリシクロデカンジメチロールジアクリレート、ジペンタエリスリトールヘキサアクリレート、エトキシ化イソシアヌル酸トリアクリレートよりなる群から選択される１種または２種以上を含み、前記顔料は、Ｃ．Ｉ.ピグメント  イエロー  １５０、１５５、１８０よりなる群から選択される１種または２種以上を含むことを特徴とする印刷装置。
【請求項４】
請求項１〜３のいずれかに記載の印刷装置であって、
前記第１光源、前記第２光源および前記第３光源の照射強度は等しいことを特徴とする印刷装置。
【請求項５】
請求項１〜４のいずれかに記載の印刷装置であって、
前記第１ヘッドよりも前記搬送方向の上流側に設けられ前記第２光源の照射エネルギーよりも弱い照射エネルギーで光を照射する第４光源と、前記第４光源よりも前記搬送方向の上流側に設けられた第４ヘッドと、を有し、前記第１ヘッドは前記ブラックインクを前記媒体に吐出し、前記第４ヘッドは前記マゼンタインク又は前記シアンインクを前記媒体に吐出することを特徴とする印刷装置。
【請求項６】
請求項１〜５のいずれかに記載の印刷装置であって、
光を照射すると硬化する背景用インクを吐出する背景用ヘッドを更に備え、
前記背景用ヘッドは、前記イエロー用光源よりも前記搬送方向下流側に設けられていることを特徴とする印刷装置。
【請求項７】
請求項１〜６のいずれかに記載の印刷装置であって、
前記イエローインクよりも光透過率の高い第２イエローインクを吐出する第５ヘッドと、
前記第５ヘッドよりも前記搬送方向の下流側に設けられ、前記第１光源よりも強い照射エネルギーで光を照射する第５光源と、を更に備え、
透明媒体に前記第２イエローインクを塗布して、光透過性のある淡黄画像を形成することを特徴とする印刷装置。
【手続補正２】
【補正対象書類名】明細書
【補正対象項目名】０００９
【補正方法】変更
【補正の内容】
【０００９】
上記目的を達成するための主たる発明は、媒体を搬送方向に搬送する搬送ユニットと、第１ヘッドと、前記第１ヘッドよりも前記搬送方向の下流側に設けられた第１光源と、前記第１ヘッド及び前記第１光源よりも前記搬送方向の下流側に設けられた第２ヘッドと、前記第２ヘッドよりも前記搬送方向の下流側に設けられ、前記第１光源の照射エネルギーよりも強い照射エネルギーで光を照射する第２光源と、前記第２光源よりも前記搬送方向の下流側に設けられた第３ヘッドと、前記第３ヘッドよりも前記搬送方向の下流側に設けられ、前記第１光源の照射エネルギーよりも強い照射エネルギーで光を照射する第３光源と、を備え、前記第１ヘッドは、マゼンタインク、シアンインク、ブラックインクのうちいずれか1色のインクを前記媒体に吐出し、前記第２ヘッドは、イエローインクを前記媒体に吐出し、前記第３ヘッドは、クリアインクを前記媒体に吐出する印刷装置である。
【手続補正３】
【補正対象書類名】明細書
【補正対象項目名】００３５
【補正方法】変更
【補正の内容】
【００３５】
本硬化ユニット９０は、媒体上のＵＶインクを本硬化（完全に固化）させることが可能な強度の紫外光を照射する。本硬化ユニット９０は、仮硬化用の光源よりも強い照射エネルギーの紫外光を照射するための本硬化用光源９１を有する。本硬化用光源９１は、ドラム１１の下部に設けられている。また、本硬化用光源９１は、媒体Ｓがドラム１１から離れてから第３ローラー１４に達するまでの間において、媒体に紫外光を照射する。例えば、本硬化用光源９１として、メタルハライドランプなどが採用される。なお、本硬化ユニット９０は、本硬化用光源９１の紫外光を媒体側に反射させる反射鏡や、排熱のためのフィン、ファン及びダクトなども備えている。
【手続補正４】
【補正対象書類名】明細書
【補正対象項目名】００６３
【補正方法】変更
【補正の内容】
【００６３】
イエロー用光源８１Ｙは、他の色の仮硬化用光源と同様に、ＬＥＤ（発光ダイオード）で構成されている。ここでは、イエロー用光源８１ＹのＬＥＤに他の色の仮硬化用光源のＬＥＤよりも多くの電流を流し、照射強度（照度）［ｍＷ／ｃｍ２］を高めることによって、イエロー用光源８１Ｙの照射エネルギー（積算光量）［ｍＪ／ｃｍ２］を強くしている。但し、照射強度が同じであっても、イエロー用光源８１Ｙの搬送方向の長さを他の色の仮硬化用光源よりも長く構成することによって（照射時間［ｓ］を長くすることによって）、照射エネルギーを強くしても良い。
【手続補正５】
【補正対象書類名】明細書
【補正対象項目名】０１５６
【補正方法】変更
【補正の内容】
【０１５６】
更に詳しくは、ブラックインクとして使用されるカーボンブラックとしては、Ｎｏ．２３００、Ｎｏ．９００、ＭＣＦ８８、Ｎｏ．３３、Ｎｏ．４０、Ｎｏ．４５、Ｎｏ．５２、ＭＡ７、ＭＡ８、ＭＡ１００、Ｎｏ．２２００Ｂ等（以上、三菱化学社（Mitsubishi Chemical Corporation）製商品名）、Ｒａｖｅｎ  ５７５０、Ｒａｖｅｎ  ５２５０、Ｒａｖｅｎ  ５０００、Ｒａｖｅｎ  ３５００、Ｒａｖｅｎ  １２５５、Ｒａｖｅｎ  ７００等（以上、コロンビアカーボン（Carbon Columbia）社製商品名）、Ｒｅｇａ１  ４００Ｒ、Ｒｅｇａ１  ３３０Ｒ、Ｒｅｇａ１  ６６０Ｒ、Ｍｏｇｕｌ  Ｌ、Ｍｏｎａｒｃｈ  ７００、Ｍｏｎａｒｃｈ  ８００、Ｍｏｎａｒｃｈ  ８８０、Ｍｏｎａｒｃｈ  ９００、Ｍｏｎａｒｃｈ  １０００、Ｍｏｎａｒｃｈ  １１００、Ｍｏｎａｒｃｈ  １３００、Ｍｏｎａｒｃｈ  １４００等（キャボット社（CABOT JAPAN K．K．）製商品名）、Ｃｏｌｏｒ  Ｂｌａｃｋ  ＦＷ１、Ｃｏｌｏｒ  Ｂｌａｃｋ  ＦＷ２、Ｃｏｌｏｒ  Ｂｌａｃｋ  ＦＷ２Ｖ、Ｃｏｌｏｒ  Ｂｌａｃｋ  ＦＷ１８、Ｃｏｌｏｒ  Ｂｌａｃｋ  ＦＷ２００、Ｃｏｌｏｒ  Ｂｌａｃｋ  Ｓ１５０、Ｃｏｌｏｒ  Ｂｌａｃｋ  Ｓ１６０、Ｃｏｌｏｒ  Ｂｌａｃｋ  Ｓ１７０、Ｐｒｉｎｔｅｘ  ３５、Ｐｒｉｎｔｅｘ  Ｕ、Ｐｒｉｎｔｅｘ  Ｖ、Ｐｒｉｎｔｅｘ  １４０Ｕ、Ｓｐｅｃｉａｌ  Ｂｌａｃｋ  ６、Ｓｐｅｃｉａｌ  Ｂｌａｃｋ  ５、Ｓｐｅｃｉａｌ  Ｂｌａｃｋ  ４Ａ、Ｓｐｅｃｉａｌ  Ｂｌａｃｋ  ４等（以上、デグッサ（Degussa）社製商品名）が挙げられる。